(57)【要約】      （修正有）【課題】螺合構造のないメガネフレームを提供する。【解決手段】メガネフレームは、リム及びリムの左右両端に連結されるテンプルを備える。リムの左右両端には連結智１１が設置され、智１１の中間部にはスリット構造１２が設けられ、スリット構造１２内部には蝶番ピン１３及び挟持ブロック１５が設置される。テンプル及びリムの連結端は扁平なシート形状を呈し、シート上にはスロットが開設され、内部構造辺の連結末端は半円形の鈎爪形状として設置される。スロットには挟持ブロック１５が係合され、鈎爪が蝶番ピン１３に掛合されて蝶番構造が形成される。主に構造テンプル及びリムの改良により、テンプル及びリムの取り付け難度が低下し、製造コストも低下し、経済効率が高まる。テンプルがリムの智１１内に嵌入され、使用者が連結構造により頭髪が挟まれたり噛まれたりしなくなり、実用性が高まる。【選択図】図８
0003217240.tif 000002
【実用新案登録請求の範囲】
【請求項１】
リム及びリムの左右両端に連結されるテンプルを備える螺合構造のないメガネフレームであって、前記リムの左右両端には連結智が設置され、智の中間部にはスリット構造が設けられ、スリット構造により智がＵ字型の二枚板式溝構造に分類され、スリット構造内部には横向きの蝶番ピン及び縦向きの挟持ブロックが一体成形され、前記テンプル及びリムの連結端は扁平なシート形状を呈し、シートの内外両辺縁は円弧状に設計され、シート上にはスロットが開設され、スロットにより連結端が２本の単独の棒状構造辺に分けられ、その内部構造辺の連結末端は半円形の鈎爪形状として設けられ、スロットには挟持ブロックが係合され、鈎爪が蝶番ピンに掛合されて蝶番構造が形成されることを特徴とする螺合構造のないメガネフレーム。
【請求項２】
リム及びリムの左右両端に連結されるテンプルを備える螺合構造のないメガネフレームであって、前記リムの左右両端には連結智が設置され、智の中間部にはスリット構造が設けられ、スリット構造により智がＵ字型の二枚板式溝構造に分類され、智には位置がお互い対称になるヒンジ貫通孔が横向きに開設され、ヒンジ貫通孔にはネジまたはリベットが取り付けられて蝶番ピンが形成され、スリット構造内部には縦向きの挟持ブロックが一体成形され、前記テンプル及びリムの連結端は扁平なシート形状を呈し、シートの内外両辺縁は円弧状に設計され、シート上にはスロットが開設され、スロットにより連結端が２本の単独の棒状構造辺に分けられ、その内部構造辺の連結末端は半円形の鈎爪形状として設けられ、スロットには挟持ブロックが係合され、鈎爪が蝶番ピンに掛合されて蝶番構造が形成されることを特徴とする螺合構造のないメガネフレーム。
【請求項３】
前記蝶番ピン及びテンプルの取り付け方向は垂直であり、スリットの両端面に対して垂直になることを特徴とする請求項１または請求項２に記載の螺合構造のないメガネフレーム。
【請求項４】
前記挟持ブロック及びテンプルの取り付け方向は平行であり、その幅はテンプルスロットの幅に対応することを特徴とする請求項１に記載の螺合構造のないメガネフレーム。
【請求項５】
前記シートの厚さは１ｍｍより薄いことを特徴とする請求項１または請求項２に記載の螺合構造のないメガネフレーム。
【請求項６】
前記シートには金属材質が採用されることを特徴とする請求項１または請求項２に記載の螺合構造のないメガネフレーム。
【請求項７】
前記テンプルの連結端の外部構造辺の底端は円弧状に設計され、長さは内部構造よりやや長いことを特徴とする請求項１または請求項２に記載の螺合構造のないメガネフレーム。
【請求項８】
前記テンプルの連結端のシートの幅は智の幅に等しいかより小さく、テンプルの連結端のシートのスロット構造の径方向の長さは智の高さより短いことを特徴とする請求項１に記載の螺合構造のないメガネフレーム。
【請求項９】
前記蝶番ピンは智の内側に位置され、前記挟持ブロックが智の外側に位置され、智が着用者の鼻に近接する方向を内側とし、着用者の鼻から離間する方向を外側とすることを特徴とする請求項１または請求項２に記載の螺合構造のないメガネフレーム。
【請求項１０】
前記テンプルの連結端のスロットは智内の挟持ブロックを挟持させ、半円形鈎爪は蝶番ピンに掛合され、蝶番ピンを回転点とし、挟持ブロック及びスロットの接触点はトルク支点とし、テンプルが内側に向けて回転すると折り畳まれ、或いは外側に向けて回転すると開かれることを特徴とする請求項１〜請求項８の何れか１項に記載の螺合構造のないメガネフレーム。
【考案の詳細な説明】
【技術分野】
【０００１】
本考案は、メガネフレームの分野に関し、より詳しくは、テンプルとリムとの間がネジ等の螺合構造無しに連結されて堅固な連結を達成させる螺合構造のないメガネフレームに関する。
【背景技術】
【０００２】
メガネは日常生活における必需品であり、従来のメガネフレームの主な構成構造はリムと、テンプルと、金属ボルトやネジ等のロック部材とを備える。このため、テンプルとリムとの連結または２つのリムの間の連結構造は種類が非常に多く、着脱方式、接着剤が注入される挿設孔方式、或いはヒンジやネジによりロックされる連結方式等が存在する。
【考案の概要】
【考案が解決しようとする課題】
【０００３】
しかしながら、これらの上述の方式の効果は明確であるが、但し、メガネフレームの材料は製造技術及び取り付け技術に対する要求が非常に高い。特に、取り付け方式の制限により取り付け難度が高くなり、これに伴って製造コストも上昇した。構造から言えば、構造が簡単で安定性が高いリムを設計し、特にテンプル及びリムの連結時に接着剤やネジによる螺合等の技術が不要になれば製造難度が下がるほか、より重要な点として取り付け難度が低下し、製造取り付けに掛かる人的コスト及び取り付けの歩留まりも低下し、且つメガネフレームのデザインの独自性及び外観の美観も高まる。
【０００４】
そこで、本考案者は上記の欠点が改善可能と考え、鋭意検討を重ねた結果、合理的設計で上記の課題を効果的に改善する本考案の提案に到った。
【０００５】
本考案はこうした状況に鑑みてなされたものであり、その目的は、螺合構造のないメガネフレームを提供することにある。すなわち、テンプルとリムとの間をネジ等の螺合構造無しに堅固に連結させる。
【課題を解決するための手段】
【０００６】
上記課題を解決するために、本考案の螺合構造のないメガネフレームは、
リム及びリムの左右両端に連結されるテンプルを備える螺合構造のないメガネフレームであって、前記リムの左右両端には連結智が設置され、智の中間部にはスリット構造が設けられ、スリット構造により智がＵ字型の二枚板式溝構造に分類され、スリット構造内部には横向きの蝶番ピン及び縦向きの挟持ブロックが一体成形され、前記テンプル及びリムの連結端は扁平なシート形状を呈し、シートの内外両辺縁は円弧状に設計され、シート上にはスロットが開設され、スロットにより連結端が２本の単独の棒状構造辺に分けられ、その内部構造辺の連結末端は半円形の鈎爪形状として設けられ、スロットには挟持ブロックが係合され、鈎爪が蝶番ピンに掛合されて蝶番構造が形成される。
【０００７】
本考案の螺合構造のないメガネフレームは、リム及びリムの左右両端に連結されるテンプルを備える螺合構造のないメガネフレームであって、前記リムの左右両端には連結智が設置され、智の中間部にはスリット構造が設けられ、スリット構造により智がＵ字型の二枚板式溝構造に分類され、智には位置が対応するヒンジ貫通孔が横向きに開設され、ヒンジ貫通孔にはネジまたはリベットが取り付けられて蝶番ピンが形成され、スリット構造内部には縦向きの挟持ブロックが一体成形され、前記テンプル及びリムの連結端は扁平なシート形状を呈し、シートの内外両辺縁は円弧状に設計され、シート上にはスロットが開設され、スロットにより連結端が２本の単独の棒状構造辺に分けられ、その内部構造辺の連結末端は半円形の鈎爪形状として設けられ、スロットには挟持ブロックが係合され、鈎爪が蝶番ピンに掛合されて蝶番構造が形成される。
【０００８】
好ましい実施形態では、前記蝶番ピン及びテンプルの取り付け方向は垂直であり、スリットの両端面に対して垂直になる。
【０００９】
好ましい実施形態では、前記挟持ブロック及びテンプルの取り付け方向は平行であり、その幅はテンプルスロットの幅に対応する。
【００１０】
好ましい実施形態では、前記シートの厚さは１ｍｍより薄い。
【００１１】
好ましい実施形態では、前記シートには金属材質が採用される。
【００１２】
好ましい実施形態では、前記テンプルの連結端の外部構造辺の底端は円弧状に設計され、長さは内部構造よりやや長い。
【００１３】
好ましい実施形態では、前記テンプルの連結端のシートの幅は智の幅に等しいかより小さく、テンプルの連結端のシートのスロット構造の径方向の長さは智の高さより短い。
【００１４】
好ましい実施形態では、前記蝶番ピンは智の内側に設けられ、前記挟持ブロックが智の外側に設けられる。
【００１５】
好ましい実施形態では、テンプルの連結端のスロットは智内の挟持ブロックを挟持させ、半円形鈎爪は蝶番ピンに掛合され、蝶番ピンを回転点とし、挟持ブロック及びスロットの接触点はトルク支点とし、テンプルが内側に向けて回転すると折り畳まれ、或いは外側に向けて回転すると開かれる。
【考案の効果】
【００１６】
本考案の有益な効果は、以下のとおりである。
まず、本考案のテンプルには金属シートが採用され、材料自体が一定の弾性を有するため着用の快適性が高まる。次いで、鈎爪及びスロット等の構造が１回でスタンピング成形されるため、製造の技術的難度が低下する。また、リムの両側の連結端の智は蝶番ピン及び挟持ブロックを備え、且つリムと共に１回で成形されるため、成形、接着、取り付け等を複数回行う必要が無くなり、製造効率が大幅に高まる。なお、蝶番ピンは一体成形或いはリベットやネジにより連結されることにより蝶番ピンが形成されてもよく、方式が増えるため多様性及び美観が増す。リムの智とテンプルとの連結端はスロットにより挟持ブロックに係合され、半円鈎爪が智内の蝶番ピンに係合されて蝶番構造が形成され、金属ヒンジが外側に設置される従来の連結方式を代替させ、取り付けが便利になり、堅固性が増し、取り外し可能になる。総じて本考案は、主に構造上のテンプルのリムが改良されることによりテンプル及びリムの取り付け難度が低下し、製造コストも低下し、経済効率が高まる。本考案の連結方式によりテンプルがリムの智内に嵌入され、使用者が連結構造により頭髪が挟まれたり噛まれたりしなくなり、本考案の実用性が高まる。
【図面の簡単な説明】
【００１７】
【図１】本考案の第１実施形態の組立構造を示す概略図である。
【図２】本考案の第１実施形態の組立構造を示す側辺の概略図である。
【図３】本考案の第２実施形態の組立構造を示す概略図である。
【図４】本考案の第２実施形態の組立構造を示す側辺の概略図である。
【図５】本考案のテンプル構造を示す概略図である。
【図６】図５（Ａ）の部分拡大概略図である。
【図７】本考案のメガネフレーム構造を示す概略図である。
【図８】図７（Ｂ）の部分拡大概略図である。
【考案を実施するための形態】
【００１８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１９】
ちなみに、下述のシートの両辺縁の内側は着用者の顔の一側に近接し、外側は着用者の顔の一側から離れ、シートの径方向はテンプルに沿った長さ方向とし、横向きとはリムの水平面と平行し、テンプルの取り付け方向に垂直になることを指す。縦向きとはリムの水平面に垂直になり、テンプルの取り付け方向に平行することを指す。
【実施例１】
【００２０】
（蝶番ピン及び智の一体成形）
本考案の螺合構造のないメガネフレームは、前記メガネフレームがリム１及びリムの左右両端に連結されるテンプル２を備える。前記リム１の左右両端には連結智１１が設置され、智の中間部にはスリット１２構造が設けられ、スリット１２構造により智がＵ字型の二枚板式溝構造に分類される。スリット１２構造内部には横向きの蝶番ピン１３及び縦向きの挟持ブロック１５が一体成形される。リム１には非金属射出成形が採用されるため、スリット１２及び連結智１１が一体で射出成形され、製造難度及び製造コストが低下する。前記テンプル２及びリム１の連結端は扁平なシート形状を呈し、シートの内外両辺縁は円弧状に設計される。シート上にはスロット２１が開設され、スロット２１により連結端が２本の単独の棒状構造辺に分けられ、その内部構造辺２２の連結末端は半円形の鈎爪形状として設けられる。スロット２１には挟持ブロック１５が係合され、鈎爪が蝶番ピン１３に掛合されて蝶番構造が形成される（図１及び図２、図５乃至図８参照）。
【００２１】
前記テンプル２及びリム１の連結端は扁平なシート形状を呈し、シートには金属材質が採用される。金属材質はステンレスであり、厚さは１ｍｍより薄く、テンプル２に好ましい弾性を与え、顔の輪郭が異なる人でも着用可能になる。シートの内外の両辺縁は円弧状に設計され、すなわち、テンプル２の連結端の外部構造辺２３の底端は円弧状に設計され、長さは内部構造辺２２よりやや長く、テンプル２の連結端がリム１と連結される際に開閉される。テンプル２のシートの両辺縁の内側の辺縁は凹型円弧に変化するように設けられ、外側の辺縁は凸型円弧として設けられ、人の顔の形状にフィットする。縁部分が使用者を傷付けるようなことがなくなるほか、より重要な点として円弧の変化によりテンプル２の外観がより美しくなり、メガネ全体の美観が増し、着用の快適性が増す。
【００２２】
シート上にはスロット２１が開設され、スロット２１により連結端が２本の単独の棒状構造辺に分けられ、その内部構造辺２２の連結末端は半円形の鈎爪形状として設けられ、鈎爪が蝶番ピン１３に係合されて蝶番構造が形成される。外部構造辺２３の主な作用は固定及びガイド作用であり、このような分離形式の設計により、外側の構造辺及び内側の構造辺が互いにそれぞれの機能を実現させ、互いに影響し合わない。また、取り付けが便利になり、美観も高まる。
【００２３】
前記テンプル２の連結端のシートの幅は智１１の幅に等しいかより小さく、テンプル２の連結端のシートのスロット２１構造の径方向の長さは智１１の高さより短く、テンプル２の連結端がリム１に連結される際に連結される部分が全て智１１内に嵌入され、美観及び着用の快適性が高まる。前記蝶番ピン１３は智１１の内側に位置され、前記挟持ブロック１５は智１１の外側に位置され、前記蝶番ピン１３及びテンプル２の取り付け方向は垂直であり、且つスリット１２の両端面に垂直になる。前記挟持ブロック１５及びテンプル２の取り付け方向は平行し、その幅はテンプル２スロット２１の幅に対応する。テンプル２の連結端のスロット２１は智１１内の挟持ブロック１５を挟持させ、半円形鈎爪は蝶番ピン１３に掛合され、蝶番ピン１３を回転点とし、挟持ブロック１５及びスロット２１の接触点をトルク支点とし、テンプル２が内側に向けて回転すると折り畳まれ、或いは外側に向けて回転すると開かれる。
【実施例２】
【００２４】
（蝶番ピンは智に取り付けられるネジまたはリベットである）
本考案の螺合構造のないメガネフレームは、前記メガネフレームがリム１及びリムの左右両端に連結されるテンプル２を備える。前記リム１の左右両端には連結智１１が設置され、智１１の中間部にはスリット１２構造が設けられ、スリット１２構造により智１１がＵ字型の二枚板式溝構造に分類される。智１１には位置がお互い対称になるヒンジ貫通孔１４が横向きに設けられ、ヒンジ貫通孔１４にネジまたはリベットが取り付けられて蝶番ピンが形成され、スリット構造内部には縦向きの挟持ブロック１５が一体成形される。前記テンプル２及びリム１の連結端は扁平なシート形状を呈し、シートの内外両辺縁は円弧状に設計され、シート上にはスロット２１が開設され、スロット２１により連結端が２本の単独の棒状構造辺に分けられ、その内部構造辺２２の連結末端は半円形の鈎爪形状として設けられる。スロット２１には挟持ブロックが係合され、鈎爪が蝶番ピン１３に掛合されて蝶番構造が形成される。テンプル２の連結端のスロット２１には智１１内の挟持ブロック１５が挟持され、半円形鈎爪が蝶番ピン１３に掛合される。蝶番ピン１３を回転点とし、挟持ブロック１５及びスロット２１の接触点をトルク支点とし、テンプル２が内側に向けて回転すると折り畳まれ、或いは外側に向けて回転すると開かれる（図３及び図４、図５乃至図８参照）。
【００２５】
従って、本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求に含まれるものと解釈すべきである。
【符号の説明】
【００２６】
１  リム
１１  智
１２  スリット
１３  蝶番ピン
１４  ヒンジ貫通孔
１５  挟持ブロック
２  テンプル
２１  スロット
２２  内部構造辺
２３  外部構造辺
【図１】
0003217240.tif 000003
【図２】
0003217240.tif 000004
【図３】
0003217240.tif 000005
【図４】
0003217240.tif 000006
【図５】
0003217240.tif 000007
【図６】
0003217240.tif 000008
【図７】
0003217240.tif 000009
【図８】
0003217240.tif 000010